(57)【要約】      （修正有）【課題】部分消灯したい照明装置に簡単な工事で設置可能であり、スイッチ操作の容易性を確保したまま部分消灯を可能にする照明ＯＦＦ／ＯＮ装置を提供する。【解決手段】照明ＯＦＦ／ＯＮ装置８は、マイコン１２、マイコン電源部１３、赤外線受信部１４、半導体リレー部１５で構成される。照明スイッチ２とマイコン電源１３を接続し、マイコン１２の出力ポートが半導体リレー部１５を制御する。【選択図】図２
0003176543.tif 000002
【実用新案登録請求の範囲】
【請求項１】
照明スイッチと当該照明スイッチによって点消灯する照明装置を接続する電源線との間に接続し、赤外線リモコンでの電源遮断／通電機能と、照明スイッチによる点消灯操作との連動機能とを備えた照明ＯＦＦ／ＯＮ装置。
【考案の詳細な説明】
【技術分野】
【０００１】  本考案は、照明の部分消灯を容易に行う装置に関するものである。
【背景技術】
【０００２】  一般的オフィスの照明配線ではＡＣ１００Ｖ電源に照明スイッチを介し天井に配置された複数の照明装置を接続する。１つの照明スイッチに複数の照明装置を接続するのは、照明スイッチ数を少なくして複数の照明装置の点消灯を簡便に行うためである。
ここで、１つの照明スイッチに接続された複数の照明装置のうち一部の照明装置のみを部分消灯したい場合、既設の照明スイッチでは部分消灯できないため、部分消灯したい照明装置を既設の照明スイッチへの配線から切り離して、全く別の配線と照明スイッチを増設する工事が必要となる。
【考案の概要】
【考案が解決しようとする課題】
【０００３】  部分消灯したい照明装置のために全く別の配線と照明スイッチを増設する大掛かりな工事を行う経済的、作業的な負担が大きく、また照明スイッチが複数に分かれてしまうため既設の照明スイッチによる全照明装置の点消灯操作の簡便性が失われてしまう。
【課題を解決するための手段】
【０００４】  照明スイッチと当該照明スイッチによって点消灯する照明装置を接続する電源線との間に接続し、赤外線リモコンでの電源遮断／通電機能と、照明スイッチによる点消灯操作との連動機能とを備えた照明ＯＦＦ／ＯＮ装置により問題を解決する。
【考案の効果】
【０００５】  照明ＯＦＦ／ＯＮ装置は、天井裏に設置し、赤外線センサーを照明装置器具の隙間から天井下に３０ｍｍ程度出すだけで設置可能であり、天井の改造が不要であるため、短時間で簡単に取り付けることができ、経済的負担も軽減される。
照明ＯＦＦ／ＯＮ装置は、照明スイッチＯＮによるＡＣ１００Ｖ電源の供給を検知するとリレーをＯＮ、逆に照明スイッチＯＦＦによるＡＣ１００Ｖ電源遮断を検知するとリレーをＯＦＦにする。
そのため、照明ＯＦＦ／ＯＮ装置を部分消灯したい照明装置に接続しても照明スイッチに連動しているごとく全照明装置を点消灯させる照明スイッチ連動機能を有し、また、照明ＯＦＦ／ＯＮ装置が接続されている照明装置が消灯されている状態のままで照明スイッチをＯＦＦ／ＯＮ操作することにより即座に全照明装置を点灯させるリセット機能により全照明装置の点消灯操作の簡便性を確保したまま、部分消灯することができる。
【図面の簡単な説明】
【０００６】
【図１】一般的オフィス照明の配線図である。
【図２】一般的オフィス照明の配線に本考案である照明ＯＦＦ／ＯＮ装置を接続した図である。
【考案を実施するための形態】
【０００７】  図１に示すように一般的オフィスの照明配線ではＡＣ１００Ｖ電源に接続ボックス（１）を介し照明をＯＮ／ＯＦＦする照明スイッチ（２）及び天井（７）に配置された照明装置（３）〜（６）が接続されている
照明スイッチ（２）が受け持つ照明（３）〜（６）のうち部分消灯したい照明装置を照明装置（４）、（５）とするとき、図２に示すようにＡＣ１００Ｖ電源線と照明装置（４）の間に赤外線リモコンからＯＮ／ＯＦＦ操作できる照明ＯＦＦ／ＯＮ装置（８）を接続し、さらに照明装置（５）へ渡り配線（１１）で接続する。
照明ＯＦＦ／ＯＮ装置（８）は赤外線リモコン（１０）からの照明ＯＮ／ＯＦＦ制御信号を検知するための赤外線センサー（９）を有し、赤外線リモコン（１０）は、照明ＯＮ／ＯＦＦ制御信号を発信する。
【符号の説明】
【０００８】（１）接続ボックス
（２）照明スイッチ
（３）〜（６）照明装置
（７）天井
（８）照明ＯＦＦ／ＯＮ装置
（９）赤外線センサー
（１０）赤外線リモコン
（１１）渡り配線
【図１】
0003176543.tif 000003
【図２】
0003176543.tif 000004
【手続補正書】
【提出日】平成24年2月10日(2012.2.10)
【手続補正１】
【補正対象書類名】明細書
【補正対象項目名】０００７
【補正方法】変更
【補正の内容】
【０００７】  図１に示すように一般的オフィスの照明配線ではＡＣ１００Ｖ電源に接続ボックス（１）を介し照明をＯＮ／ＯＦＦする照明スイッチ（２）及び天井（７）に配置された照明装置（３）〜（６）が接続されている。
図２に、一般的オフィスの照明配線に照明ＯＦＦ／ＯＮ装置（８）を接続した例を示す。
図２の照明スイッチ（２）が受け持つ照明装置（３）〜（６）のうち部分消灯したい照明装置を照明装置（５）、（６）とするときＡＣ１００Ｖ電源線と照明装置（５）の間に照明ＯＦＦ／ＯＮ装置（８）を接続し、さらに照明装置（６）へ渡り配線（１１）で接続する。
照明ＯＮ／ＯＦＦ制御信号を発信する赤外線リモコン（１０）を用意し、赤外線リモコン（１０）からの照明ＯＮ／ＯＦＦ制御信号を検知する赤外線センサー（９）を天井部に取り付け、赤外線センサー（９）は照明ＯＦＦ／ＯＮ装置（８）の赤外線受信部（１４）に配線接続する。
図２太線内に、照明ＯＦＦ／ＯＮ装置（８）の内部構成を示す。
照明ＯＦＦ／ＯＮ装置（８）は、マイコン（１２）、マイコン電源部（１３）、赤外線受信部（１４）、半導体リレー部（１５）で構成される。
照明スイッチ（２）とマイコン電源部（１３）を接続し、マイコン（１２）を新たに起動した時は必ず出力ポートがＯＮとなるようプログラムし、マイコン（１２）の出力ポートのＯＮ／ＯＦＦが半導体リレー部（１５）の接続／非接続を制御する。
ここで照明スイッチ（２）をＯＮにすると、照明装置（３），（４）点灯及びマイコン（１２）起動→マイコン（１２）出力ポートＯＮ→半導体リレー部（１５）ＯＮ→照明装置（５），（６）が点灯する。
また、照明スイッチ（２）をＯＦＦにすると、逆の動作により照明装置（３），（４）及び照明装置（５），（６）は消灯する。
このようにして、照明スイッチ（２）で従来の使用形態と同様に照明装置（３）〜（６）を点消灯させることが可能となる。
さらに赤外線リモコン（１０）から、赤外線センサー（９）→赤外線受信部（１４）→マイコン（１２）を介して半導体リレー部（１５）の接続／非接続を制御することで赤外線リモコン（１０）から照明装置（５），（６）のみをＯＦＦ／ＯＮすることが可能となる。
なお、照明装置（５），（６）が消灯されている状態のままで照明スイッチ（２）をＯＦＦ／ＯＮ操作すると、マイコン（１２）が起動した時は必ず出力ポートがＯＮとなるから即座に照明装置（３）〜（６）全てを点灯させる。
【手続補正２】
【補正対象書類名】明細書
【補正対象項目名】０００８
【補正方法】変更
【補正の内容】
【０００８】（１）接続ボックス
（２）照明スイッチ
（３）〜（６）照明装置
（７）天井
（８）照明ＯＦＦ／ＯＮ装置
（９）赤外線センサー
（１０）赤外線リモコン
（１１）渡り配線
（１２）マイコン
（１３）マイコン電源部
（１４）赤外線受信部
（１５）半導体リレー部
【手続補正３】
【補正対象書類名】実用新案登録請求の範囲
【補正対象項目名】請求項１
【補正方法】変更
【補正の内容】
【請求項１】
マイコン、マイコン電源部、半導体リレー部、赤外線受信部からなり、照明スイッチのＯＮ／ＯＦＦ操作によるマイコン電源部を通じたマイコンの起動／停止に応じて半導体リレー部をＯＮ／ＯＦＦさせる構成と、赤外線リモコンからの照明ＯＦＦ／ＯＮ信号を受信する赤外線受信部からマイコンを介して半導体リレー部をＯＦＦ／ＯＮさせる構成とした照明ＯＦＦ／ＯＮ装置。
【手続補正４】
【補正対象書類名】図面
【補正対象項目名】図１
【補正方法】変更
【補正の内容】
【図１】
0003176543.tif 000005
【手続補正５】
【補正対象書類名】図面
【補正対象項目名】図２
【補正方法】変更
【補正の内容】
【図２】
0003176543.tif 000006